(57)【要約】【課題】低背・小型のＦＰＣ用コネクタであって、挿入されたＦＰＣを好適に保持することができ、且つＦＰＣを抜去する際に破損等を防止することができるＦＰＣ用コネクタの提供。【解決手段】前面側にＦＰＣ挿入部３を開口させたハウジング４と、複数のコンタクト６，６と、各弾性接触片部５，５をＦＰＣ挿入部内に突出する位置とＦＰＣ挿入部より退避した位置との間で移動させる操作部材とを備え、ＦＰＣ挿入部３内の一方の内側面より突出してＦＰＣ２の表面を他方の内側面３ａ側に向けて押圧する弾性押圧片部２２を有し、弾性押圧片部２２が操作部材の動作に連動してＦＰＣ挿入部３内に突出する位置とＦＰＣ挿入部３より退避した位置との間で移動する押圧部材２１を備え、ハウジング４には、ＦＰＣ挿入部の他方の内側面３ａより突出し、ＦＰＣ２に形成された被係合部８と互いに係合する係合突起７を一体に備えた。【選択図】図６
2013026101.tif 000002
【特許請求の範囲】
【請求項１】
前面側にＦＰＣが挿入されるＦＰＣ挿入部を開口させたハウジングと、前記ＦＰＣ挿入部内に突出して前記ＦＰＣの端子部と接触する弾性接触片部を有する複数のコンタクトと、前記各弾性接触片部を同時にＦＰＣ挿入部内に突出する位置とＦＰＣ挿入部より退避した位置との間で移動させる操作部材とを備えてなるＦＰＣ用コネクタにおいて、
前記ＦＰＣ挿入部内の互いに対向する一方の内側面より突出して前記ＦＰＣの表面を他方の内側面側に向けて押圧する弾性押圧片部を有する押圧部材を備え、前記弾性押圧片部が前記操作部材の動作に連動してＦＰＣ挿入部内に突出する位置とＦＰＣ挿入部より退避した位置との間で移動するようにし、
前記ハウジングには、ＦＰＣ挿入部の前記他方の内側面より突出し、前記ＦＰＣに形成された被係合部と互いに係合する係合突起を一体に備えたことを特徴としてなるＦＰＣ用コネクタ。
【請求項２】
前記押圧部材は、前記弾性押圧片部と連結支持片部を介して二股状配置をなす固定片部を備え、前記固定片部が前記ハウジングの他方の内側面側部に固定された請求項１に記載のＦＰＣ用コネクタ。
【請求項３】
前記弾性押圧片部は、前記ＦＰＣに前記被係合部より挿抜方向奥側で接触するように形成された請求項１又は２に記載のＦＰＣ用コネクタ。
【請求項４】
前記押圧部材は、前記弾性押圧片部の後方に向けて延長させた形状の従動片部を備え、前記操作部材が従動片部を押し上げることにより前記弾性押圧片部が前記ＦＰＣ挿入部内に突出する位置に変位させるようにした請求項１、２又は３に記載のＦＰＣ用コネクタ。
【発明の詳細な説明】
【技術分野】
【０００１】
本発明は、ＦＰＣ（フレキシブルプリント配線基板）とプリント基板とを電気的に接続するためのＦＰＣ用コネクタであって、特にはＺＩＦ（ゼロインサーションフォース）構造を有するＦＰＣ用コネクタに関する。
【背景技術】
【０００２】
従来、この種のＦＰＣ用コネクタには、ＦＰＣ（フレキシブルプリント配線基板）の先端部が挿入されるＦＰＣ挿入部を有するハウジングと、ＦＰＣ挿入部内に突出する弾性接触片部を有する複数のコンタクトと、弾性接触片部をＦＰＣ挿入部内に突出する位置とＦＰＣ挿入部より退避した位置との間で移動させるカム部材と、カム部材を動作させる操作レバーとを備え、この操作レバーを動作させて弾性接触片部をＦＰＣ挿入部内より退避した位置に変位させ、この状態でＦＰＣをＦＰＣ挿入部内に挿入することによってコンタクトからの接触圧即ち弾性接触片部からの接触圧を受けずにＦＰＣの挿入がなされ、その挿入後に操作レバーを元に戻すことによって弾性接触片部に備えた接点が、弾性接触片部の弾性によってＦＰＣに圧接されるようにしたＺＩＦ（ゼロインサーションフォース）機構を具備したものが知られている（例えば、特許文献１）。
【０００３】
このようなＦＰＣ用コネクタでは、ＦＰＣがＦＰＣ挿入部内に挿入された状態において、弾性接触片部のＦＰＣに対する接触圧によりＦＰＣの抜け出し方向の移動を規制し、ＦＰＣが抜け出ないようにしている。
【０００４】
また、ＦＰＣの抜け止め機構としては、図７に示す如き構造のものが知られている（例えば、特許文献２）。
【０００５】
このＦＰＣ用コネクタの抜け止め機構では、ＦＰＣ１００の両側部に切り欠き部１０１を形成するとともに、コンタクトと同形状の抜け止め金具１０２をハウジング１０３の両側部にコンタクトと同列配置に備え、操作レバー１０４を操作してカム部材１０５を動作させて弾性係合部１０６をＦＰＣ挿入部１０７より退避させた状態でＦＰＣ１００をＦＰＣ挿入部内１０７に挿入し、その挿入後に操作レバー１０４を引き倒し方向に回動させカム部材１０５に従動片部１０８を押し上げさせることにより、弾性係合部１０６の先端部に形成された係合突起１０６ａがＦＰＣ１００の切欠き部１０１内に挿入され、この係合突起１０６ａが切欠き部１０１と互いに係合することによりＦＰＣ１００の抜け出し方向の移動を規制し、ＦＰＣ１００が抜け出ないようにしている。
【先行技術文献】
【特許文献】
【０００６】
【特許文献１】特開２００５−１０８４６４号公報
【特許文献２】特開２００５−７８９０８号公報
【発明の概要】
【発明が解決しようとする課題】
【０００７】
しかしながら、上述の如き従来の弾性接触片部のＦＰＣに対する接触圧によりＦＰＣの抜け出しを防止するようにしたものにあっては、コンタクトの極数が少ないと十分な接触圧が得られず、抜き出し方向の力に対抗できないという問題があった。
【０００８】
一方、上述の抜け止め金具の係合突起を切欠き部と互いに係合することによりＦＰＣの抜け出しを防止したものにあっては、ＦＰＣを抜去する際に、切欠き部の内縁部が係合突起と接触して抜け止め金具を変形・破壊してしまうおそれがあるという問題があり、特に、コネクタの低背化・小型化に伴い抜け止め金具も小型化されており破損が生じ易くなっている。
【０００９】
そこで本発明は、このような従来の問題に鑑み、低背・小型のＦＰＣ用コネクタであって、挿入されたＦＰＣを好適に保持することができ、且つＦＰＣを抜去する際の破損等を防止することができるＦＰＣ用コネクタの提供を目的としてなされたものである。
【課題を解決するための手段】
【００１０】
上述の如き従来の問題を解決し、所期の目的を達成するための請求項1に記載の発明の特徴は、前面側にＦＰＣが挿入されるＦＰＣ挿入部を開口させたハウジングと、前記ＦＰＣ挿入部内に突出して前記ＦＰＣの端子部と接触する弾性接触片部を有する複数のコンタクトと、前記各弾性接触片部を同時にＦＰＣ挿入部内に突出する位置とＦＰＣ挿入部より退避した位置との間で移動させる操作部材とを備えてなるＦＰＣ用コネクタにおいて、前記ＦＰＣ挿入部内の互いに対向する一方の内側面より突出して前記ＦＰＣの表面を他方の内側面側に向けて押圧する弾性押圧片部を有する押圧部材を備え、前記弾性押圧片部が前記操作部材の動作に連動してＦＰＣ挿入部内に突出する位置とＦＰＣ挿入部より退避した位置との間で移動するようにし、前記ハウジングには、ＦＰＣ挿入部の前記他方の内側面より突出し、前記ＦＰＣに形成された被係合部と互いに係合する係合突起を一体に備えたことにある。
【００１１】
請求項２に記載の発明の特徴は、請求項１の構成に加え、前記押圧部材は、前記弾性押圧片部と連結支持片部を介して二股状配置をなす固定片部を備え、前記固定片部が前記ハウジングの他方の内側面側部に固定されたことにある。
【００１２】
請求項３に記載の発明の特徴は、請求項１又は２の構成に加え、前記弾性押圧片部は、前記ＦＰＣに前記被係合部より挿抜方向奥側で接触するように形成されたことにある。
【００１３】
請求項４に記載の発明の特徴は、請求項１、２又は３の構成に加え、前記押圧部材は、前記弾性押圧片部の後方に向けて延長させた形状の従動片部を備え、前記操作部材が従動片部を押し上げることにより前記弾性押圧片部が前記ＦＰＣ挿入部内に突出する位置に変位させるようにしたことにある。
【発明の効果】
【００１４】
本発明に係るＦＰＣ用コネクタは、上述したように、前面側にＦＰＣが挿入されるＦＰＣ挿入部を開口させたハウジングと、前記ＦＰＣ挿入部内に突出して前記ＦＰＣの端子部と接触する弾性接触片部を有する複数のコンタクトと、前記各弾性接触片部を同時にＦＰＣ挿入部内に突出する位置とＦＰＣ挿入部より退避した位置との間で移動させる操作部材とを備えたことにより、ＺＩＦ（ゼロインサーションフォース）機構を具備し、コンタクトからの接触圧即ち弾性接触片部からの接触圧を受けずにＦＰＣの挿入がなされ、その挿入後に操作部材を元に戻すことによって弾性接触片部に備えた接点が、弾性接触片部の弾性によってＦＰＣに圧接される。
【００１５】
また、本発明において、前記ＦＰＣ挿入部内の互いに対向する一方の内側面より突出して前記ＦＰＣの表面を他方の内側面側に向けて押圧する弾性押圧片部を有する押圧部材を備え、前記弾性押圧片部が前記操作部材の動作に連動してＦＰＣ挿入部内に突出する位置とＦＰＣ挿入部より退避した位置との間で移動するようにし、前記ハウジングには、ＦＰＣ挿入部の前記他方の内側面より突出し、前記ＦＰＣに形成された被係合部と互いに係合する係合突起を一体に備えたことにより、ＦＰＣの抜け出し方向の移動を好適に規制できるとともに、押圧部材が切欠き部の縁部に引っ掛かることがなく破損を防止できる。また、コネクタの低背化・小型化により係合突起の高さを低く抑えなければならない場合であっても、ＦＰＣは、被係合部と係合突起の係合による規制に加え、ハウジングとの摩擦力によっても抜去方向の移動が規制されるので十分な抜去方向の力に対する耐力が得られる。
【００１６】
更に本発明において、前記押圧部材は、前記弾性押圧片部と連結支持片部を介して二股状配置をなす固定片部を備え、前記固定片部が前記ハウジングの他方の内側面側部に固定されたことにより、安定してＦＰＣを押圧することができる。
【００１７】
更にまた、本発明において、前記弾性押圧片部は、前記ＦＰＣに前記被係合部より挿抜方向奥側で接触するように形成されたことにより、係合突起とＦＰＣの被係合部とを安定して係合させることができる。
【００１８】
また、本発明において、前記押圧部材は、前記弾性押圧片部の後方に向けて延長させた形状の従動片部を備え、前記操作部材が従動片部を押し上げることにより前記弾性押圧片部が前記ＦＰＣ挿入部内に突出する位置に変位させるようにしたことにより、好適にＦＰＣを押圧することができる。
【図面の簡単な説明】
【００１９】
【図１】本発明に係るＦＰＣ用コネクタの一例を示す斜視図である。
【図２】同上のＦＰＣ用コネクタの係合突起が配置された部分の状態を示す縦断面図である。
【図３】同上のＦＰＣ用コネクタのコンタクトを収容した部分の状態を示す縦断面図である。
【図４】同上のＦＰＣ用コネクタの押圧部材を収容した部分の状態を示す縦断面図である。
【図５】同上の押圧部材を収容した部分の縦断面図であって、（ａ）はＦＰＣを挿入させた状態、（ｂ）は同ＦＰＣを抜け止めした状態である。
【図６】同上の係合突起が配置された部分の縦断面図であって、（ａ）はＦＰＣを挿入させた状態、（ｂ）は同ＦＰＣを抜け止めした状態である。
【図７】従来のＦＰＣ用コネクタの一例を示す縦断面図である。
【発明を実施するための形態】
【００２０】
次に、本発明に係るＦＰＣ用コネクタの実施の態様を図１〜図６に示した実施例に基づいて説明する。尚、図中符号１はＦＰＣ用コネクタ、符号２はＦＰＣ（フレキシブルプリント配線基板）である。
【００２１】
このＦＰＣ用コネクタ１は、前面側にＦＰＣ２が挿入されるＦＰＣ挿入部３を開口させたハウジング４と、ＦＰＣ挿入部３内に突出してＦＰＣ２の端子部と接触する弾性接触片部５を有する複数のコンタクト６，６と、各弾性接触片部５，５を同時にＦＰＣ挿入部３内に突出する位置とＦＰＣ挿入部３より退避した位置との間で移動させる操作部材とを備え、操作部材を動作させて弾性接触片部５，５をＦＰＣ挿入部３内より退避した位置に変位させ、この状態でＦＰＣ２をＦＰＣ挿入部３内に挿入することによってコンタクト６，６からの接触圧即ち弾性接触片部５からの接触圧を受けずにＦＰＣ２の挿入がなされ、その挿入後に操作部材を元に戻すことによって弾性接触片部５に備えた接点が、弾性接触片部５の弾性によってＦＰＣ２に圧接されるようになっている。
【００２２】
ハウジング４は、モールド成形により直方体状に形成され、前面にコネクタ幅方向に長い細長溝状のＦＰＣ挿入部３が挿抜方向、即ちコネクタの奥行方向に向けて形成されている。
【００２３】
このＦＰＣ挿入部３の底面部、即ち互いに対向する内側面の一方には、開口側両側部に他方の内側面（上面側）に向けて突出した係合突起７，７が一体に形成されている。
【００２４】
この係合突起７は、ＦＰＣ挿入部３の下側内側面より挿入方向奥側上方に向けて緩やかに傾斜した傾斜部７ａを有し、ＦＰＣ２が挿入し易いようになっている。
【００２５】
一方、ＦＰＣ２がＦＰＣ挿入部３内の所定の位置まで差し込まれると、係合突起７は、ＦＰＣ２の両側部に形成された切欠き状の被係合部８内に挿入され、係合面７ｂが被係合部８の内縁部と互いに係合するようになっている。
【００２６】
また、この係合突起７は、係合突起７の頂部とＦＰＣ挿入部３上側内側面との間の間隔がＦＰＣ２の厚みより狭くなるように形成され、また、係合面７ｂがやや前方側に向けて傾斜した形状となっており、ＦＰＣ２に抜去力が作用した際には、被係合部８の内縁部が係合面７ｂにガイドされてＦＰＣ２が上向き、即ち、ＦＰＣ挿入部３の底面側より浮き上がる方向にも移動するようになっている。
【００２７】
また、このハウジング４には、背面側に開口した複数のコンタクト挿入溝９，９がコネクタ幅方向に間隔を置いて形成され、このコンタクト挿入溝９よりコンタクト６がハウジング４内に挿入されている。
【００２８】
コンタクト６は、図３に示すように、弾性を有する導電性金属材を打ち抜き加工することにより成形され、弾性接触片部５と固定接触片部１０が連結支持片部１１を介して二股状配置を成している。
【００２９】
弾性接触片部５及び固定接触片部１０は、長手方向をコネクタ奥行き方向前側に向けた細長棒状に形成され、その先端部にそれぞれ相手側に向けて突出した形状の接点部５ａ及び接触部１０ａが形成されている。
【００３０】
また、このコンタクト６には、弾性接触片部５の後方側に延長された形状の従動片部１２を一体に備え、この従動片部１２下に操作部材を構成するカム部材１３が回動可能な状態で配置されている。
【００３１】
カム部材１３は、互いに直交する配置に長径部と短径部とを有する前後両縁を円形に形成した扁平棒状に形成され、長径部側を縦向きにすることにより、従動片部１２を押し上げ、それにより連結支持片部１１を基点に弾性接触片部５が回動してＦＰＣ挿入部内に突出し、接点部５ａ及び接触部１０ａでＦＰＣ２の先端部を挟持し、それにより接点部５ａがＦＰＣ２の表面に形成された端子部に好適な接触圧をもって圧接されるようになっている。
【００３２】
また、カム部材１３の長径部を横向きにすることによって従動片部１２は、弾性接触片部５とともにその戻り力によって連結支持片部１１を介して回動し、それにより弾性接触片部５がＦＰＣ挿入部３から退避する位置に移動し、ＦＰＣ２の挟持が解除されるようになっている。
【００３３】
尚、このカム部材１３は、ハウジング４に枢支された操作レバー１４と一体に成形され、操作レバー１４の回動動作に伴い変位するようになっており、操作レバー１４を引き起こし側に回動させることにより長径部側を横向きに、操作レバー１４を引き倒し側に回動させることにより長径部側を縦向きに向けるようになっている。
【００３４】
一方、コンタクト６の固定接触片部１０の後方側には、接続端子片部１５が形成され、この接続端子片部１５が接続基板に形成された接続パターンに半田付けされるようになっている。
【００３５】
また、このハウジング４の両側部には、コンタクト６の外側且つ係合突起７の内側に押圧部材挿入溝２０，２０がコネクタ奥行き方向奥側に向けて形成され、ハウジング４に前面側より押圧部材２１が挿入されるようになっている。
【００３６】
押圧部材２１は、図４に示すように、弾性を有する金属性板材を打ち抜き加工することにより形成され、弾性押圧片部２２と固定片部２３とが連結支持片部２４を介して二股状配置をなしている。
【００３７】
弾性押圧片部２２は、長手方向をコネクタ奥行き方向前側に向けた細長棒状に形成され、その先端部に下側、即ちＦＰＣ２側に突出した押圧部２２ａが形成されている。
【００３８】
この弾性押圧片部２２は、ＦＰＣ２がＦＰＣ挿入部３内に挿入された際に、押圧部２２ａの位置がＦＰＣ２側縁部に形成された被係合部８よりＦＰＣ２挿入方向奥側に位置する長さとなるように形成されている。
【００３９】
また、押圧部材２１には、弾性押圧片部２２の後方に向けて延長させた形状の従動片部２５が一体に形成され、この従動片部２５下にカム部材１３が回動可能に配置されている。
【００４０】
押圧部材２１は、図５（ｂ）に示すように操作レバー１４を引き倒し方向に回動させ長径部側を縦向きにすることにより、従動片部２５が押し上げられ、弾性押圧片部２２がＦＰＣ挿入部３内に突出し、それによりＦＰＣ２の表面を下側に向けて押圧する。
【００４１】
また、図５（ａ）に示すように、カム部材１３の長径部を横向きにすることによって従動片部２５は、弾性押圧片部２２ととともにその戻り力によって連結支持片部２４を基点に回動し、弾性押圧片部２２が上向に変位して押圧部材挿入溝２０の上側部２０ａ内に収容され、弾性押圧片部２２がＦＰＣ挿入部３から退避するようになっている。
【００４２】
固定片部２３は、細長板状に形成され、ハウジング４の底部に形成された押圧部材挿入溝下側部２０ｂ内に収容されている。
【００４３】
固定片部２３の後方には、ハウジング４底部に形成された圧入孔２６に圧入される圧入片部２７が一体に形成され、この圧入片部２７を圧入孔２６に圧入させたことにより押圧部材２１がハウジング４に固定されている。
【００４４】
また、固定片部２３の前方には、接続固定部２８が一体に形成されており、この接続固定部２８を接続基板に形成された固定パターンに半田付けすることによりコネクタ全体を接続基板に固定するようになっている。
【００４５】
この接続固定部２８の奥側縁部には、ＦＰＣ２挿入方向奥側に向けて突出した浮き上がり防止突片２９が一体に形成されており、この浮き上がり防止突片２９がハウジング４底面部に形成された挿入溝３０に差し込まれることによりこの浮き上がり防止突片２９と固定片部２３との間にハウジング４の肉厚部を挟持し、固定片部２３の縦方向の移動を規制するようになっている。
【００４６】
このように構成されたＦＰＣ用コネクタ１は、図５（ａ）に示すように、操作レバー１４を引き起こし方向に回動させ、カム部材１３の長径方向を横向きとすることによりコンタクト６の弾性接触片部５及び押圧部材２１の弾性押圧片部２２がＦＰＣ挿入部３より退避した位置に変位した状態となり、その状態でＦＰＣ２をＦＰＣ挿入部３内に挿入することによって弾性接触片部５及び弾性押圧片部２２からの接触圧を受けずに挿入することができる。
【００４７】
一方、ＦＰＣ２を所定の押し込み位置まで挿入した状態で操作レバー１４を引き倒し方向に回動させ、カム部材１３の長径方向を縦向きに変位させると、図５（ｂ）に示すように、コンタクト６の弾性接触片部５及び押圧部材２１の弾性押圧片部２２がＦＰＣ挿入部３内に突出する位置に変位し、それによりコンタクト６，６がＦＰＣ２の端子部に圧接されて電気的に接続される。
【００４８】
また、図６（ｂ）に示すように、弾性押圧片部２２の押圧部２２ａがＦＰＣ２表面部に圧接され、ＦＰＣ２を下向きの押圧し、ＦＰＣ２がＦＰＣ挿入部３の下側内側面に押し付けられ、ハウジング４のＦＰＣ挿入部３下側内側面より突出した係合突起７がＦＰＣ２側縁部に形成された被係合部８内に挿入されて被係合部８の内縁と係合突起７の係合面７ｂとが互いに係合され、ＦＰＣ２の抜去方向の移動が規制される。
【００４９】
また、ＦＰＣ２に抜去方向の力が作用した際には、ＦＰＣ２の切欠き部縁部を弾性押圧片部２２により下向きに押圧し、ＦＰＣ挿入部３の下側内側面に押し付けるので、ＦＰＣ２が被係合部８の内縁部を係合面７ｂにガイドさせて浮き上がるのを規制し、被係合部８と係合突起７との係合状態が維持されるようになっている。
【００５０】
更に、ＦＰＣ２をＦＰＣ挿入部３内側面に押し付けることによりＦＰＣ２と内側面３ａとの間に摩擦力が生じ、抜去方向の力に対抗できるようになっている。
【００５１】
従って、コネクタの低背化・小型化により係合突起７の高さを低く抑えなければならない場合であっても、ＦＰＣ２は、被係合部８と係合突起７の係合による規制に加え、摩擦力によっても抜去方向の移動が規制されるので十分な抜去方向の力に対する耐力を備えている。
【００５２】
そして、ＦＰＣ２を抜き出すには、再度操作レバー１４を引き起こし方向に回動させカム部材１３の長径部を横向きに変位させることにより、コンタクト６の弾性接触片部５及び押圧部材２１の弾性押圧片部２２がＦＰＣ挿入部３内より退避する位置に移動し、ＦＰＣ２をＦＰＣ挿入部３内側面に押圧する力が除かれ、その状態でＦＰＣ２に抜去方向の力を加えると、ＦＰＣ２が被係合部８の内側縁を係合面７ｂにガイドさせつつ浮き上がり、それにより抜去方向の移動に対する規制が解除され容易に引抜くことができる。
【００５３】
尚、上述の実施例では、ＦＰＣ２に形成された被係合部８を切り欠き状とした例について、説明したが、孔状に形成されたものやＦＰＣ２側縁より突出させた形状のものであってもよい。
【００５４】
また、上述の実施例では、操作部材としてカム部材１３を使用した例について説明したが、操作部材としては、その他の構造を有するものであってもよく、例えば、従動片部２５下に楔状の部材を後方側より差し込み、それにより従動片部２５を押し上げる構造としたものであってもよい。
【符号の説明】
【００５５】
１  ＦＰＣ用コネクタ 
２  ＦＰＣ
３  ＦＰＣ挿入部
４  ハウジング
５  弾性接触片部
６  コンタクト
７  係合突起
８  被係合部
９  コンタクト挿入溝
１０  固定接触片部
１１  連結支持片部
１２  従動片部
１３  カム部材
１４  操作レバー
１５  接続端子片部
２０  押圧部材挿入溝
２１  押圧部材
２２  弾性押圧片部
２３  固定片部
２４  連結支持片部
２５  従動片部
２６  圧入孔
２７  圧入片部
２８  接続固定部
２９  浮き上がり防止突片
３０  挿入溝
【図１】
2013026101.tif 000003
【図２】
2013026101.tif 000004
【図３】
2013026101.tif 000005
【図４】
2013026101.tif 000006
【図５】
2013026101.tif 000007
【図６】
2013026101.tif 000008
【図７】
2013026101.tif 000009